(57)【要約】【課題】過大な電磁波の供給による無線ＩＣタグの発熱を抑制する。さらに、患者の皮膚に貼り付ける無線通信媒体２０や患者の体内に埋め込む無線通信媒体２０を利用する場面において、患者への電磁暴露量を低減する。【解決手段】無線通信媒体２０において、センサを構成する負荷回路２４０に流れる電流の量と、電圧クランプ回路２３０に流れる電流の量とを検出し、電圧クランプ回路２３０に流れる電流の量が負荷回路２４０に流れる電流の量よりも多い場合には、電磁波の強度を下げる制御情報を無線通信装置５０に送信し、無線通信装置５０において、無線通信媒体２０から送信される制御情報に基づいて無線通信媒体２０に向けて発生する電磁波の強度を下げるように構成する。【選択図】        図２
2008306522.tif 000002
【特許請求の範囲】
【請求項１】
電磁波を送受信するアンテナを有し、上記アンテナを介して受電するとともに信号を送受信する電力受電型の無線通信媒体と、電磁波を送受信するアンテナを有し、上記アンテナを介して上記無線通信媒体に対して給電するとともに上記無線通信媒体との間で上記信号を送受信する無線通信装置とを備えて構成される無線通信システムであって、
上記無線通信媒体は、
センサを構成する負荷回路と、
上記アンテナに発生する誘導起電力を利用して直流電圧を生成する整流回路と、
上記整流回路の入力側または出力側に接続され、上記負荷回路に供給する電圧を所定レベル以下に固定する電圧クランプ回路と、
上記電圧クランプ回路および上記負荷回路に流れる電流の量をそれぞれ検出する電流検出回路と、
上記電流検出回路により検出された上記電圧クランプ回路に流れる電流の量と上記負荷回路に流れる電流の量とを比較する電流比較回路と、
上記センサにより検出された情報、または、当該無線通信媒体に送信する電磁波の強度を下げる制御を上記無線通信装置にさせる電磁波強度抑制情報を含む上記信号を生成する信号処理回路とを備え、
上記信号処理回路は、上記電圧クランプ回路に流れる電流の量が上記負荷回路に流れる電流の量よりも多いと上記電流比較回路によって判断された場合に、上記電磁波強度抑制情報を含む上記信号を生成し、
上記無線通信装置は、
当該無線通信装置が有する上記アンテナを介して上記無線通信媒体から上記電磁波強度抑制情報を含む上記信号を受信した場合、当該無線通信装置が有する上記アンテナから上記無線通信媒体に送信する電磁波の強度を下げる電磁波強度調整部を備えたことを特徴とする無線通信システム。
【請求項２】
電磁波を送受信するアンテナを有し、上記アンテナを介して受電するとともに信号を送受信する電力受電型の無線通信媒体と、電磁波を送受信するアンテナを有し、上記アンテナを介して上記無線通信媒体に対して給電するとともに上記無線通信媒体との間で上記信号を送受信する無線通信装置とを備えて構成される無線通信システムであって、
上記無線通信媒体は、
センサを構成する負荷回路と、
上記アンテナに発生する誘導起電力を利用して直流電圧を生成する整流回路と、
上記整流回路の入力側または出力側に接続され、上記負荷回路に供給する電圧を所定レベル以下に固定する電圧クランプ回路と、
上記電圧クランプ回路および上記負荷回路に流れる電流の量をそれぞれ検出する電流検出回路と、
上記センサにより検出された情報、または、上記電流検出回路により検出された上記電圧クランプ回路に流れる電流の量および上記負荷回路に流れる電流の量をそれぞれ示す電流情報を含む上記信号を生成する信号処理回路とを備え、
上記無線通信装置は、
当該無線通信装置が有する上記アンテナを介して上記無線通信媒体から上記電流情報を含む上記信号を受信した場合に、上記電流情報に示された上記電圧クランプ回路に流れる電流の量と上記負荷回路に流れる電流の量とを比較し、上記電圧クランプ回路に流れる電流の量が上記負荷回路に流れる電流の量よりも多いと判断したときは、当該無線通信装置が有する上記アンテナから上記無線通信媒体に送信する電磁波の強度を下げる電磁波強度調整部を備えたことを特徴とする無線通信システム。
【請求項３】
上記センサは、生体内情報を検出することを特徴とする請求項１または２に記載の無線通信システム。
【請求項４】
電磁波を送受信するアンテナを有し、上記アンテナを介して、無線通信装置から送信された電磁波を受信することにより受電するとともに上記無線通信装置との間で電磁波を送受信することにより上記無線通信装置との間で信号を送受信する電力受電型の無線通信媒体であって、
センサを構成する負荷回路と、
上記アンテナに発生する誘導起電力を利用して直流電圧を生成する整流回路と、
上記整流回路の入力側または出力側に接続され、上記負荷回路に供給する電圧を所定レベル以下に固定する電圧クランプ回路と、
上記電圧クランプ回路および上記負荷回路に流れる電流の量をそれぞれ検出する電流検出回路と、
上記電流検出回路により検出された上記電圧クランプ回路に流れる電流の量と上記負荷回路に流れる電流の量とを比較する電流比較回路と、
上記センサにより検出された情報、または、当該無線通信媒体に送信する電磁波の強度を下げる制御を上記無線通信装置にさせる電磁波強度抑制情報を含む上記信号を生成する信号処理回路とを備え、
上記信号処理回路は、上記電圧クランプ回路に流れる電流の量が上記負荷回路に流れる電流の量よりも多いと上記電流比較回路によって判断された場合に、上記電磁波強度抑制情報を含む上記信号を生成することを特徴とする無線通信媒体。
【請求項５】
電磁波を送受信するアンテナを有し、上記アンテナを介して、無線通信装置から送信された電磁波を受信することにより受電するとともに上記無線通信装置との間で電磁波を送受信することにより上記無線通信装置との間で信号を送受信する電力受電型の無線通信媒体であって、
センサを構成する負荷回路と、
上記アンテナに発生する誘導起電力を利用して直流電圧を生成する整流回路と、
上記整流回路の入力側または出力側に接続され、上記負荷回路に供給する電圧を所定レベル以下に固定する電圧クランプ回路と、
上記電圧クランプ回路および上記負荷回路に流れる電流の量をそれぞれ検出する電流検出回路と、
上記センサにより検出された情報、または、上記電流検出回路により検出された上記電圧クランプ回路に流れる電流の量および上記負荷回路に流れる電流の量をそれぞれ示す電流情報であって、上記電圧クランプ回路に流れる電流の量と上記負荷回路に流れる電流の量とを比較し、上記電圧クランプ回路に流れる電流の量が上記負荷回路に流れる電流の量よりも多いと判断したときは、当該無線通信媒体に送信する電磁波の強度を下げる制御を行う無線通信装置に送信するための電流情報を含む上記信号を生成する信号処理回路とを備えたことを特徴とする無線通信媒体。
【請求項６】
上記センサは、生体内情報を検出することを特徴とする請求項４または５に記載の無線通信媒体。
【発明の詳細な説明】
【技術分野】
【０００１】
本発明は、無線通信システムおよび無線通信媒体に関するものである。
【背景技術】
【０００２】
ＲＦＩＤ（Radio Frequency IDentification）は、無線通信装置（リーダ）が、電磁波を用いて、無線ＩＣタグ（ＲＦＩＤタグ）に記憶された情報を読み書きする近距離無線通信の仕組みである。無線ＩＣタグは、ゴマ粒チップなどとも呼ばれる超小型のものもある。また、無線通信装置から供給される電磁波を利用して電磁誘導により起電力を発生し動作電源とする電力受電型の無線ＩＣタグもある。
【０００３】
電力受電型の無線ＩＣタグを用いたＲＦＩＤのシステムは、電子マネーや公共交通機関のプリペイドカードなどのインフラとして広く普及することとなったが、医療分野での応用も期待が大きい。例えば、超小型の電力受電型の無線ＩＣタグをあらかじめ患者の体内（例えば、皮下）に埋め込み、診断時に心電図情報などの生体内情報を非接触で取得する技術などである。
【０００４】
一方、電力受電型の無線ＩＣタグは、無線通信装置から過大な電磁波が供給されると、無線ＩＣタグ自身の電力消費量が増加し発熱するという問題がある。すなわち、無線ＩＣタグの発熱は、故障や誤動作を招く恐れがあるなどそれ自体好ましくない。また、例えば、温度センサ内蔵の無線ＩＣタグにあっては、自身の熱を読み取ってしまうという問題もある。
【０００５】
さらに、患者の皮膚に貼り付ける電力受電型の無線ＩＣタグや患者の体内に埋め込む電力受電型の無線ＩＣタグの場合には、無線通信装置から過大な電磁波が供給されると、患者への電磁暴露量が増加し、身体に悪影響を及ぼす恐れもある。また、上記の通り無線ＩＣタグ自身の発熱によって、患者の体温を上げてしまうという問題もある。
【０００６】
なお、入院患者の身体に貼付した温度センサ内蔵の無線ＩＣタグから、当該入院患者の体温情報を無線通信装置に無線により送信するシステムが提案されている（例えば、特許文献１参照）。また、無線タグで検出した温度情報に基づき供給電力を制御することにより、アンテナから発生する誘導磁界（電磁波）の強度を調整するようにした技術が特許文献２に開示されている。また、電流または電圧から温度を換算するという内容が特許文献３，４に開示されている。特許文献４には、実際に発熱の原因となっている電流負荷回路に与える電圧を変えることで消費電力の大きさを調整することも開示されている。
【特許文献１】特開２００１−３１４３７８号公報
【特許文献２】特開２００６−３４００８５号公報
【特許文献３】特開２００５−１６４５２７号公報
【特許文献４】特開２０００−１３１３７９号公報
【発明の開示】
【発明が解決しようとする課題】
【０００７】
本発明は、上述のような問題を解決するために成されたものであり、無線通信装置から無線ＩＣタグへ供給する電磁波の強さを抑制し、過大な電磁波の供給による無線ＩＣタグの発熱を抑制できるようにすることを目的とする。さらに、患者の皮膚に貼り付ける電力受電型の無線ＩＣタグや患者の体内に埋め込む電力受電型の無線ＩＣタグを利用する場面において、患者への電磁暴露量を低減できるようにすることを目的とする。
【課題を解決するための手段】
【０００８】
上記した課題を解決するために、本発明では、電力受電型の無線通信媒体において、センサを構成する負荷回路に流れる電流の量と、電圧を所定レベル以下に固定することにより負荷回路に供給する電圧を生成する電圧クランプ回路に流れる電流の量とを検出し、電圧クランプ回路に流れる電流の量が負荷回路に流れる電流の量よりも多い場合には、無線通信媒体に送信する電磁波の強度を下げる制御情報を無線通信装置に送信する。そして、無線通信装置において、無線通信媒体から送信される制御情報に基づいて無線通信媒体に向けて発生する電磁波の強度を下げるようにしている。
【０００９】
電力受電型の無線通信媒体において、負荷回路に流れる電流の量と、電圧クランプ回路に流れる電流の量とを示す電流情報を無線通信装置に送信してもよい。そして、無線通信装置において、無線通信媒体から送信される電流情報に基づいて無線通信媒体に向けて発生する電磁波の強度を下げるようにしてもよい。
【発明の効果】
【００１０】
無線通信装置から無線通信媒体に対して過大な電磁波が供給されると、電圧クランプ回路に流れる電流の量が増えて、負荷回路に流れる電流の量に比べて電圧クランプ回路に流れる電流の量が大きくなる。上記のように構成した本発明によれば、電圧クランプ回路に流れる電流の量が負荷回路に流れる電流の量より多いときは、無線通信装置において、無線通信媒体に向けて発生する電磁波の強度が下がることとなる。
【００１１】
これにより、過大な電磁波の供給による無線通信媒体の発熱を抑制することができる。さらに、患者の皮膚に貼り付ける電力受電型の無線ＩＣタグや患者の体内に埋め込む電力受電型の無線ＩＣタグを利用する場面において、患者に対する電磁暴露量を低減することができ、発熱および電磁暴露による身体への悪影響を最小限に抑えることができる。
【発明を実施するための最良の形態】
【００１２】
以下、本発明の一実施形態を図面に基づいて説明する。図１は、無線通信システムの概観の例を示す模式図である。無線通信システム１０は、無線通信装置５０と、電力受電型の無線通信媒体２０とを備えて構成される。無線通信システム１０は、例えば図１に示すように、医師５００が無線通信装置５０を用いて、無線通信媒体２０を皮下に埋め込んでいる入院患者５０２を検診する場面に利用される。なお、上記のように生体内部で無線通信媒体２０を使用する場合、許容すべき消費電力は１００〜２００ｍＷ程度であるが、血流が無い部位においては、５０ｍＷ以下に抑えることが好ましい。
【００１３】
無線通信媒体２０は、電磁波を送受信するアンテナ（図１において非図示）と、センサ（図１において非図示）とを備える。無線通信媒体２０は、アンテナを介して無線通信装置５０から電磁波を受信することによって受電するとともに無線通信装置５０との間で信号を送受信する。例えば、無線通信媒体２０は、入院患者５０２の生体内情報を含む信号を送信すべき旨を示す制御情報を含む信号を無線通信装置５０から受信し、入院患者５０２の生体内情報を含む信号を無線通信装置５０に送信する。また、無線通信媒体２０は、無線通信媒体２０に送信する電磁波の強度を下げる制御を無線通信装置５０にさせる制御情報（以下、「電磁波強度抑制情報」という）を含む信号を無線通信装置５０に送信する。なお、図示の無線通信媒体２０は、説明のため拡大したが、数ミリメートリ角以下のサイズのものであってもよい。
【００１４】
無線通信装置５０は、本体５１と、電磁波を送受信するアンテナ５３と、本体５１とアンテナ５３とを接続するケーブル５２とを備える。無線通信装置５０は、アンテナ５３を介して無線通信媒体２０に対して電磁波を送信することによって給電するとともに無線通信媒体２０との間で信号を送受信する。例えば、無線通信装置５０は、入院患者５０２の生体内情報を含む信号を送信すべき旨を示す制御情報を含む信号を無線通信媒体２０に送信し、入院患者５０２の生体内情報を含む信号を無線通信媒体２０から受信する。また、無線通信装置５０は、上記電磁波強度抑制情報を含む信号を無線通信媒体２０から受信する。
【００１５】
また、無線通信装置５０は、本体５１の内部構成において、無線通信媒体２０へ供給する電磁波の強さを抑制する電磁波強度調整部（非図示）を備える。具体的には、電磁波強度調整部は、アンテナ５３を介して無線通信媒体２０から上記電磁波強度抑制情報を含む信号を受信した場合、アンテナ５３から無線通信媒体２０に送信する電磁波の強度を下げる制御を行う機能を有する。
【００１６】
図２は、無線通信媒体２０の構成の例を示すブロック図である。無線通信媒体２０は、その内部構成において、アンテナ部２００、変復調回路２１０、整流回路２２０、電圧クランプ回路２３０、負荷回路２４０、電流検出回路２５０、電流比較回路２６０および信号処理回路２７０を備える。
【００１７】
アンテナ部２００は、無線通信装置５０との間で電磁波（変調波）を送受信する。また、アンテナ部２００は、受信した電磁波（変調波）を利用して電磁誘導により起電力を発生させる。
【００１８】
変復調回路２１０は、アンテナ部２００により受信された電磁波（変調波）を復調し、取り出した信号を信号処理回路２７０に供給する。また、変復調回路２１０は、信号処理回路２７０から供給された信号を変調してアンテナ部２００に供給する。
【００１９】
信号処理回路２７０は、変復調回路２１０から供給された信号（例えば、負荷回路２４０を制御する情報を含む信号）から制御情報（負荷回路２４０を制御する情報）を生成し、負荷回路２４０に供給する。また、信号処理回路２７０は、負荷回路２４０から供給されたユーザ情報（例えば、負荷回路２４０のセンサにより検出された生体内情報）に基づいて信号（生体内情報を含む信号）を生成し、変復調回路２１０に供給する。
【００２０】
また、信号処理回路２７０は、電圧クランプ回路２３０に流れる電流の量と負荷回路２４０に流れる電流の量とを比較した判断結果を示す情報（以下、「電流比較判断情報」という）を電流比較回路２６０から受け取る。信号処理回路２７０は、電圧クランプ回路２３０に流れる電流の量が負荷回路２４０に流れる電流の量よりも多い旨を示す電流比較判断情報を受け取ったときは、電磁波強度抑制情報を含む信号を生成し、変復調回路２１０に供給する。
【００２１】
整流回路２２０は、アンテナ部２００に発生した誘導起電力による電圧から直流電圧を生成する。電圧クランプ回路２３０は、整流回路２２０により生成された直流電圧を所定レベル以下に固定することにより、負荷回路２４０に供給する電圧を生成する。
【００２２】
負荷回路２４０は、生体内情報を検出するセンサを構成する。負荷回路２４０は、電圧クランプ回路２３０により所定レベル以下に固定された電圧により生体内情報を検出する。負荷回路２４０は、検出した生体内情報を信号処理回路２７０に供給する。
【００２３】
電流検出回路２５０は、電圧クランプ回路２３０および負荷回路２４０に流れる電流の量をそれぞれ検出する。電流検出回路２５０は、検出したそれぞれの電流の量をそれぞれ示す電流情報を電流比較回路２６０に供給する。なお、電圧クランプ回路２３０に流れる電流とは、電圧クランプ回路２３０を通じてグランドに向けて流れる電流、つまり、剰余な電流であるため捨てる電流をいう。
【００２４】
電流比較回路２６０は、電流検出回路２５０により検出された電圧クランプ回路２３０に流れる電流の量と負荷回路２４０に流れる電流の量とを比較して、電流比較判断情報を生成する。例えば、電流比較回路２６０は、電流検出回路２５０により検出された電圧クランプ回路２３０に流れる電流の量と負荷回路２４０に流れる電流の量とを比較して、電圧クランプ回路２３０に流れる電流の量が負荷回路２４０に流れる電流の量よりも多いと判断したときは、電圧クランプ回路２３０に流れる電流の量が負荷回路２４０に流れる電流の量よりも多い旨を示す電流比較判断情報を生成する。電流比較回路２６０は、生成した電流比較判断情報を信号処理回路２７０に供給する。
【００２５】
以下、アンテナ部２００、整流回路２２０、電圧クランプ回路２３０、負荷回路２４０、電流検出回路２５０、電流比較回路２６０および信号処理回路２７０について回路図を用いて説明する。図３は、無線通信媒体の電子回路の例を示す回路図である。図４は、トランジスタを並列に接続して構成した電流検出回路２５０の例を示す図である。なお、図３、図４において、図２にて説明したブロックには同一の符号を付している。
【００２６】
アンテナ部２００は、コイルＬ１、コンデンサＣ１により構成された共振回路（同調回路）である。整流回路２２０は、ダイオードＤ１、Ｄ２、Ｄ３、Ｄ４を用いてブリッジ回路により構成される。整流回路２２０は、アンテナ２００部に発生した誘導起電力による交流電圧から直流電圧を生成する。生成された直流電圧は、平滑コンデンサＣ２により平滑化され、電圧クランプ回路２３０に供給される。
【００２７】
電圧クランプ回路２３０は、抵抗Ｒ１、クランプダイオードＤｃ１、Ｄｃ２、Ｄｃ３により構成される。電圧クランプ回路２３０は、整流回路２２０により生成された直流電圧を所定レベル以下に固定することにより、負荷回路２４０に供給する電圧を生成する。生成された所定レベル以下の直流電圧は、負荷回路２４０の安定化回路２４１に供給される。
【００２８】
負荷回路２４０は、安定化回路２４１およびセンサ回路２４２から構成される。安定化回路２４１は、基準電圧Ｖｚ、抵抗Ｒ２、Ｒ３、オペアンプＯＰ１およびトランジスタＭＣ５から構成される。安定化回路２４１は、電圧クランプ回路２３０により生成された所定レベル以下の直流電圧から、基準電圧Ｖｚ、抵抗Ｒ２、Ｒ３によって規定する、センサ回路２４２に供給すべき一定レベルのリプルがない安定した直流電圧ＶＤＤを生成する。
【００２９】
より詳細には、仮に、センサ回路２４２に供給する直流電圧ＶＤＤが安定していた状態から低下した場合、トランジスタＭＣ５に流れる電流Ｉ１が減少し、抵抗Ｒ２のトランジスタＭＣ５側の電圧Ｖ２、抵抗Ｒ３の抵抗Ｒ２側の電圧Ｖ３も低下し、基準電圧Ｖｚ＞電圧Ｖ３となる。従って、オペアンプＯＰ１の出力電圧がＬＯＷ出力となり、トランジスタＭＣ５のゲート電圧が低下し、トランジスタＭＣ５に流れる電流Ｉ１が増加する。以降、基準電圧Ｖｚ＝電圧Ｖ３となるまで、電流Ｉ１が増加して、センサ回路２４２に供給する直流電圧ＶＤＤが安定することとなる。なお、基準電圧Ｖｚは、例えば、ツェナーダイオードにより実装される。
【００３０】
電流検出回路２５０は、電圧クランプ回路２３０に流れる電流の量を検出する電流検出回路２５０ａ、および、負荷回路２４０に流れる電流の量を検出する電流検出回路２５０ｂから構成される。
【００３１】
電流検出回路２５０ａは、電圧クランプ回路２３０を通じてグランドに向けて流れる電流を検出できる場所に挿入されたトランジスタＭＣ１、および、トランジスタＭＣ１に対してカレントミラー接続された電流検出用のトランジスタＭＣ２から構成される。電流検出回路２５０ａは、トランジスタＭＣ１、トランジスタＭＣ２によって、電圧クランプ回路２３０を通じてグランドに向けて流れる電流の量を検出する。電流検出回路２５０ａは、検出した電圧クランプ回路２３０に流れる電流の量を電流比較回路２６０に供給する。
【００３２】
なお、図３において、電圧クランプ回路２３０を通じてグランドに向けて流れる電流の量と電流比較回路２６０に供給する電流の量とは同じであるが、電圧クランプ回路２３０を通じてグランドに向けて流れる電流の量：電流比較回路２６０に供給する電流の量＝ｎ（１を超える値）：１となるように設計することが好ましい。例えば、図４に示すように、電圧クランプ回路２３０を通じてグランドに向けて流れる電流ＩＭＣ１の量：電流比較回路２６０に供給する電流ＩＭＣ２＝１０：１と設計してもよい。なお、図４において、電流ＩＭＣ１の量は、並列接続された１０個のトランジスタＭＣ１−１、ＭＣ１−２・・・ＭＣ１−１０を流れる電流の合計であり、電流ＩＭＣ２の量は、トランジスタＭＣ１−１を流れる電流の量と同じである。また、例えば、単に、トランジスタＭＣ１、ＭＣ２のゲートの面積を調整することにより、電圧クランプ回路２３０を通じてグランドに向けて流れる電流ＩＭＣ１の量：電流比較回路２６０に供給する電流ＩＭＣ２＝１０：１と設計してもよい。
【００３３】
電流検出回路２５０ｂは、安定化回路２４１のトランジスタＭＣ５、および、トランジスタＭＣ５とソース電位およびゲート電位が共通であるように接続された電流検出用のトランジスタＭＣ６から構成される。電流検出回路２５０ｂは、トランジスタＭＣ５に流れる電流Ｉ１の量をトランジスタＭＣ６に流れる電流Ｉｘの量として検出することができる。但し、電圧クランプ回路２３０を通じてグランドに向けて流れる電流の量とトランジスタＭＣ５に流れる電流Ｉ１の量とを電流比較回路２６０にて比較させるため、電流検出回路２５０ｂは、トランジスタＭＣ５に流れる電流Ｉ１の量：電流Ｉｘの量＝電圧クランプ回路２３０を通じてグランドに向けて流れる電流の量：電流検出回路２５０ａにより検出される電流の量となるような電流Ｉｘの量を検出する必要がある。
【００３４】
すなわち、電流検出回路２５０ｂは、電圧クランプ回路２３０を通じてグランドに向けて流れる電流の量と電流検出回路２５０ａにより検出される電流の量とが同じ場合は、電流ＩｘとしてトランジスタＭＣ５に流れる電流Ｉ１を検出する。一方、電流検出回路２５０ｂは、図４に示すように、電圧クランプ回路２３０を通じてグランドに向けて流れる電流の量：電流検出回路２５０ａにより検出される電流の量＝ｎ：１と設計されている場合には、例えば、トランジスタＭＣ５、ＭＣ６のゲートの面積を調整することにより、トランジスタＭＣ５に流れる電流Ｉ１の量：電流検出回路２５０ｂにより検出される電流Ｉｘの量＝ｎ：１となるような電流Ｉｘの量を検出する。電流検出回路２５０ｂは、検出した電流Ｉｘの量を電流比較回路２６０に供給する。
【００３５】
また、整流回路２２０側から負荷回路２４０側に流れる電流（トランジスタＭＣ５に流れる電流Ｉ１）は、抵抗Ｒ２、Ｒ３に流れる電流とセンサ回路２４２に流れる電流ＩＬとに分流される。従って、電流検出回路２５０ｂは、上記電流Ｉｘに代えて、センサ回路２４２に流れる電流ＩＬの量：電流検出回路２５０ｂにより検出される電流Ｉｘ’の量＝電圧クランプ回路２３０を通じてグランドに向けて流れる電流の量：電流検出回路２５０ａにより検出される電流の量となるような電流Ｉｘ’を電流比較回路２６０に供給してもよい。例えば、電流検出回路２５０ｂは、検出した電流Ｉｘに、トランジスタＭＣ５に流れる電流Ｉ１に対するセンサ回路２４２に流れる電流ＩＬの比率（電流ＩＬ／電流Ｉ１）を乗じて電流Ｉｘ’を算出し、算出した電流Ｉｘ’を電流比較回路２６０に供給してもよい。
【００３６】
電流比較回路２６０は、比較器により構成される。電流比較回路２６０は、電流検出回路２５０ａにより検出された電圧クランプ回路２３０に流れる電流の量と、電流検出回路２５０ｂにより検出された負荷回路２４０に流れる電流の量とを比較する。電流比較回路２６０は、両電流の量を比較した結果を示す電流比較判断情報を信号処理回路２７０に供給する。
【００３７】
信号処理回路２７０は、センサ回路２４２から供給されたユーザ情報（センサ回路２４２により検出された生体内情報）に基づいて信号（生体内情報を含む信号）を生成する。また、信号処理回路２７０は、電圧クランプ回路２３０に流れる電流の量が負荷回路２４０に流れる電流の量よりも多い旨を示す電流比較判断情報が電流比較回路２６０から供給された場合には、電磁波強度抑制情報を含む信号を生成する。なお、生成された信号は、変復調回路２１０およびアンテナ部２００を介して無線通信装置５０に送信される。
【００３８】
図５は、無線通信媒体３０の他の構成を示すブロック図である。図５において、図２にて説明したブロックには同一の符号を付し説明を省略する。無線通信媒体３０は、その内部構成において、アンテナ部２００、変復調回路２１０、電圧クランプ回路２３２、整流回路２２２、負荷回路２４０、電流検出回路２５０、電流比較回路２６０および信号処理回路２７０を備える。
【００３９】
電圧クランプ回路２３２は、アンテナ部２００に生じた誘導起電力による交流電圧を所定レベル以下の電圧に固定する。整流回路２２２は、電圧クランプ回路２３２により生成された所定レベル以下の交流電圧から直流電圧を生成する。
【００４０】
上記の実施形態によれば、無線通信媒体２０（または無線通信媒体３０）において、電圧クランプ回路２３０（または電圧クランプ回路２３２）に流れる電流の量が負荷回路２４０に流れる電流の量より多いときは、信号処理回路２７０により生成された電磁波強度抑制情報が、変復調回路２１０およびアンテナ部２００を介して、無線通信装置５０に送信されるので、無線通信装置５０の電磁波強度調整部において、無線通信媒体２０に向けて発生する電磁波の強度を下げる制御がなされる。これにより、過大な電磁波の供給による無線通信媒体２０（または無線通信媒体３０）の発熱を抑制することができる。さらに、患者の皮膚に貼り付ける電力受電型の無線ＩＣタグや患者の体内に埋め込む電力受電型の無線ＩＣタグを利用する場面において、患者に対する電磁暴露量を低減することができ、発熱および電磁暴露による身体への悪影響を最小限に抑えることができる。
【００４１】
なお、上記の実施形態において、無線通信媒体２０（または無線通信媒体３０）は、電圧クランプ回路２３０（または電圧クランプ回路２３２）に流れる電流の量が負荷回路２４０に流れる電流の量より多いときは、電磁波強度抑制情報を含む信号を無線通信装置５０に送信したが、これに代えて、無線通信媒体２０（または無線通信媒体３０）は、電圧クランプ回路２３０（または電圧クランプ回路２３２）に流れる電流の量および負荷回路２４０に流れる電流の量をそれぞれ示す電流情報を含む信号を無線通信装置５０に送信してもよい。
【００４２】
なお、無線通信装置５０の電磁波強度調整部（非図示）は、上記の電流情報を含む信号がアンテナ５３によって受信された場合には、電流情報に示された電圧クランプ回路２３０（または電圧クランプ回路２３２）に流れる電流の量および負荷回路２４０に流れる電流の量とを比較し、電圧クランプ回路２３０（または電圧クランプ回路２３２）に流れる電流の量が負荷回路２４０に流れる電流の量より多いときと判断したときに、無線通信媒体２０に向けて発生する電磁波の強度を下げる制御をする。
【００４３】
また、無線通信システム１０は、図１に示すように、医師５００が無線通信装置５０を用いて無線通信媒体２０（または無線通信媒体３０）を皮下に埋め込んでいる入院患者５０２を検診する場面に利用されるが、利用場面はこれに限定されない。なお、無線通信システム１０を他の場面で利用する場合には、無線通信媒体２０（または無線通信媒体３０）は、生体内情報を検出するセンサ回路２４２に代えて、当該他の場面に応じた情報を検出するセンサ回路を備えて構成される。
【００４４】
また、無線通信媒体２０（または無線通信媒体３０）は、センサ回路２４２によって検出された情報を一時記憶する記憶部と、センサ回路２４２による情報の検出およびセンサ回路２４２により検出された情報の記憶部への記憶のための電源とを更に備えてもよい。これによって、無線通信媒体２０（または無線通信媒体３０）は、無線通信装置５０から受電が無いときであっても情報を検出し、受電時に他無線通信装置５０に送信することができる。
【００４５】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００４６】
【図１】無線通信システムの概観の例を示す模式図である。
【図２】無線通信媒体の構成の例を示すブロック図である。
【図３】無線通信媒体の電子回路の例を示す回路図である。
【図４】トランジスタを並列に接続して構成した電流検出回路の例を示す図である。
【図５】無線通信媒体の他の構成を示すブロック図である。
【符号の説明】
【００４７】
１０  無線通信システム
２０  無線通信媒体
３０  無線通信媒体
５０  無線通信装置
５１  本体
５３  アンテナ
２００  アンテナ部
２２０  整流回路
２２２  整流回路
２３０  電圧クランプ回路
２３２  電圧クランプ回路
２４０  負荷回路
２４１  安定化回路
２４２  センサ回路
２５０  電流検出回路
２６０  電流比較回路
２７０  信号処理回路
【図１】
2008306522.tif 000003
【図２】
2008306522.tif 000004
【図３】
2008306522.tif 000005
【図４】
2008306522.tif 000006
【図５】
2008306522.tif 000007